(57)【特許請求の範囲】
【請求項１】
センターに管理コンピュータとテレビ番組・ビデオの画像・音声信号を生成して所定の搬送周波数で通信ケーブルに送り込むＣＡＴＶシステムとを設置し、又複数の端末側にそれぞれＣＡＴＶ端末機とＴＶ受像機とその操作リモコンとを設け、センターと各端末側のＣＡＴＶ端末機との間を同軸ラインの通信ケーブルを介して接続し、ポーリング方式でもってリクエスト信号を授受し、ＣＡＴＶシステムの映像・音声信号を所要の端末のＣＡＴＶ端末機へ送り、同ＣＡＴＶ端末機のＴＶ受像機に映像と音声を再生する双方向ＣＡＴＶ装置に於いて、
センターには、インターネット通信回線に接続された複数台のインターネットコンピュータと、各インターネットコンピュータの画像・音声信号をそれぞれ異にする周波数でもって変調する複数の変調器と、同変調器で変調されたインターネットの画像・音声信号の変調信号を混合する混合器と、同混合器で混合した変調信号を通信ケーブルへ送る混合・分波器と、通信ケーブルでもってＣＡＴＶ端末側からその端末固有の周波数でもって変調して送られるインターネット操作信号をその端末に割り当てられたインターネット受信器に配送する分配器と、同分配器からのインターネット操作信号をインターネットコンピュータの入力信号に変換する複数の受信器とを設け、
各端末のＣＡＴＶ端末機には、操作リモコンからインターネットを開始させるインターネット選択信号又はインターネットを操作するインターネット操作信号を受信するとその信号を下記インターネット送信器へ出力する回路を内蔵し、ＣＡＴＶ端末機からのインターネット選択信号又はインターネット操作信号を入力して端末固有の周波数でもって変調して混合・分波器を介して通信ケーブルへ送るインターネット送信器とを端末側に設け、
更に、管理コンピュータは双方向通信で端末からのインターネット選択信号を受け取るとその端末に使用するインターネット受信器とインターネットコンピュータを割り当て、そのインターネットコンピュータのインターネットの画像・音声の搬送波周波数チャンネルおよびインターネット操作信号の搬送波周波数チャンネル情報を端末へ送出し、センターから端末のＣＡＴＶ端末機へ通信ケーブルを介してインターネットの画像・音声を配信するとともに、端末からのインタ−ネット操作信号を端末毎に割り当てた異なった搬送周波数のチャンネルでもってセンターへ送出してインターネット通信を各端末側で自由に行えるようにしたことを特徴とする双方向ＣＡＴＶ装置。
【請求項２】
端末側のリモコン操作からセンター装置のインタ−ネットコンピュータがそのインタ−ネット操作信号を受けとるまでの時間を１００ｍsec以内とした請求項１記載の双方向ＣＡＴＶ装置。
【発明の詳細な説明】
【０００１】
【発明の属する技術分野】
本発明は、各端末側で選択されたチャンネルの画像・音声データを各端末へ配送する双方向ＣＡＴＶ装置を利用して、インターネット通信が端末側で行えるようにした双方向ＣＡＴＶ通信装置に関する。特にホテルにおいて宿泊客が個々の客室でインターネット通信を行えるようにしたものである。
【０００２】
【従来の技術】
ホテルにおけるインターネットの利用設備は専用端末をロビー等の一角に設置し、宿泊客等はその場所まで足を運び利用するか又少数ではあるが各客室（一部の客室）にパソコン及びインターネット専用コンピュータを設置し利用する方法が取られている。
インターネットの普及の内でホテルにおいても客室でのインターネットサービスの導入を計りたいが、現状のインターネット通信ができるコンピュータ・パソコン又はネットワークコンピュータ（明細書中インターネットコンピュータと総称する）を各客室に導入するには設備費用が高額となり導入の大きな障害となっている。低コストで且つ操作の容易なインターネットの利用システムが望まれていた。
一方、ホテルには各客室のＴＶ受像機に複数のテレビ番組又はビデオの中から選択されたものの画像・音声信号を双方向通信のＣＡＴＶ装置で配信できるようにし、客室でお客はリモコン操作でテレビ番組・ビデオを選択してこれらを楽しむようにできるようになっている。
しかしながら、今までの双方向ＣＡＴＶ装置では、センター側で生成させたテレビ番組・ビデオの画像・音声信号は、通信ケーブルを介して送出されるが、操作信号・リクエスト信号の方は、１秒程の間隔での通常ポーリングとリクエストポーリングのポーリング方式によって通信されている。そのため高速の同時信号を必要とするインターネット通信を双方向ＣＡＴＶ装置のポーリング方式の操作信号の授受方式では行えず、インターネット通信を直ちに利用できるものでなかった。
【０００３】
【発明が解決しようとする課題】
本発明が解決しようとする課題は、従来のこれらの問題点を解消し、双方向ＣＡＴＶ装置の設備を利用して安価にインターネット通信を各端末で行えるようにした双方向ＣＡＴＶ装置を提供することにある。
【０００４】
【課題を解決するための手段】
かかる課題を解決した本発明の構成は、
１）  センターに管理コンピュータとテレビ番組・ビデオの画像・音声信号を生成して所定の搬送周波数で通信ケーブルに送り込むＣＡＴＶシステムとを設置し、又複数の端末側にそれぞれＣＡＴＶ端末機とＴＶ受像機とその操作リモコンとを設け、センターと各端末側のＣＡＴＶ端末機との間を同軸ラインの通信ケーブルを介して接続し、ポーリング方式でもってリクエスト信号を授受し、ＣＡＴＶシステムの映像・音声信号を所要の端末のＣＡＴＶ端末機へ送り、同ＣＡＴＶ端末機のＴＶ受像機に映像と音声を再生する双方向ＣＡＴＶ装置に於いて、
センターには、インターネット通信回線に接続された複数台のインターネットコンピュータと、各インターネットコンピュータの画像・音声信号をそれぞれ異にする周波数でもって変調する複数の変調器と、同変調器で変調されたインターネットの画像・音声信号の変調信号を混合する混合器と、同混合器で混合した変調信号を通信ケーブルへ送る混合・分波器と、通信ケーブルでもってＣＡＴＶ端末側からその端末固有の周波数でもって変調して送られるインターネット操作信号をその端末に割り当てられたインターネット受信器に配送する分配器と、同分配器からのインターネット操作信号をインターネットコンピュータの入力信号に変換する複数の受信器とを設け、
各端末のＣＡＴＶ端末機には、操作リモコンからインターネットを開始させるインターネット選択信号又はインターネットを操作するインターネット操作信号を受信するとその信号を下記インターネット送信器へ出力する回路を内蔵し、ＣＡＴＶ端末機からのインターネット選択信号又はインターネット操作信号を入力して端末固有の周波数でもって変調して混合・分波器を介して通信ケーブルへ送るインターネット送信器とを端末側に設け、
更に、管理コンピュータは双方向通信で端末からのインターネット選択信号を受け取るとその端末に使用するインターネット受信器とインターネットコンピュータを割り当て、そのインターネットコンピュータのインターネットの画像・音声の搬送波周波数チャンネルおよびインターネット操作信号の搬送波周波数チャンネル情報を端末へ送出し、センターから端末のＣＡＴＶ端末機へ通信ケーブルを介してインターネットの画像・音声を配信するとともに、端末からのインタ−ネット操作信号を端末毎に割り当てた異なった搬送周波数のチャンネルでもってセンターへ送出してインターネット通信を各端末側で自由に行えるようにしたことを特徴とする双方向ＣＡＴＶ装置
２）  端末側のリモコン操作からセンター装置のインタ−ネットコンピュータがそのインタ−ネット操作信号を受けとるまでの時間を１００ｍsec以内とした前記１）記載の双方向ＣＡＴＶ装置
にある。
【０００５】
【作用】
本発明では、端末側におけるインターネットを始めとするビデオ・ゲーム等のリクエストは従来通り管理コンピュータとの間で１秒間隔程のリクエストポーリング方式で通信され、又リクエストのあったインターネット・ビデオ・ゲーム等の画像・音声信号は固有の下り帯域の搬送周波数で変調されＣＡＴＶ端末機へ送出される。
又、インターネットは、インターネット通信回線を介してインターネットコンピュータで外部と交信できるようになっている。端末側で操作リモコンのインターネット通信が選択されると、リクエストポーリングで管理コンピュータに通知し、管理コンピュータは空きのインターネット受信器を介しインターネットコンピュータを起動しブラウザとの接続を行う。又管理コンピュータは同時にＣＡＴＶ端末機に対しインターネットの操作信号を伝送する搬送周波数データ及びインターネット画像・音声の受信チャンネルデータを端末側へ通知する。よって端末側でリモコンによるインターネットの操作信号はＣＡＴＶ端末機を介しインターネット送信器の固有の周波数で変調し出力する。操作信号はセンターの端末に割り当てたインターネット受信器を介しインターネットコンピュータに入力されインターネット通信が行える。又インターネット通信の画像・音声信号は下り帯域の搬送周波数で変調され他のテレビチャンネルと混合し同軸伝送路に送られＣＡＴＶ端末機で受信され、ＴＶ受像機で出力される。
このようにインターネット操作信号を端末毎に割り当てられる搬送周波数のチャンネルで伝送される。これによって端末側で操作違和感のないインターネット通信を行えるものである。
【０００６】
【発明の実施の形態】
ＣＡＴＶのテレビ番組・ビデオ等の画像・音声信号の搬送周波数、及びインターネット通信の画像・音声信号は９０〜７７０ＭＨｚ程の周波数の下り帯域を用い、又リクエスト信号は４５ＭＨｚ，７５ＭＨｚ程の周波数が用いられ、又インターネット操作信号のチャンネルの周波数は３０〜５０ＭＨｚの上り帯域の周波数が端末の数だけ選ばれて使用される。又ＣＡＴＶリクエスト信号は、１秒間程の通常ポーリングと、その間にリクエストポーリングを入れる方式が広く使用される。又リクエスト信号のＣＡＴＶ端末機から管理コンピュータが受け取る時間は１秒程でよく、インターネット操作信号はリモコン操作からインターネットコンピュータが入力するまでを１００ｍsec 以内にするのが速やかなインターネット通信を行えるので好ましい。
【０００７】
【実施例】
本発明の一実施例を図面を用いて説明する。本実施例は、ホテルのセンター（フロント及び放送センター等）と客室との間での双方向ホテルＣＡＴＶ装置に適用した例である。図１は実施例の構成図である。図２は実施例のホテルＣＡＴＶ端末機のブロック図である。図３は実施例のインターネット送信器を示すブロック図である。図４は実施例のインターネット受信器のブロック図である。図５は実施例のチャンネルアロケーションを示す説明図である。図６はインターネット操作チャンネルアロケーションの詳細を示す説明図である。図７は双方向通信のリクエストボーリングを示す説明図である。図８は本実施例のインターネット操作のフローチャート図である。
双方向ホテルＣＡＴＶ装置においては、センター装置は複数の客室端末装置と同軸ケーブルで接続されている。
図１の双方向ＣＡＴＶセンター装置１及び客室端末装置２の（インターネット送信器２４を除く）構成は従来の双方向ホテルＣＡＴＶシステムとほとんど変わりなくシステム全体の制御を行う管理コンピュータ１０と固有の識別符号（以下アドレスという）を有するホテルＣＡＴＶ端末機２０とは、ポーリング方式の双方向データ通信で複数のホテルＣＡＴＶ端末機２０からのリクエスト（要求）に俊敏に応答させる為、通常ポーリング方式のデータ通信の間に管理コンピュータ１０は所定の割合で複数のホテルＣＡＴＶ端末機２０に対し一斉リクエスト信号を送出し、リクエストのある複数のホテルＣＡＴＶ端末機２０は遅延時間を乱数でランダムに発生し、最も短い遅延時間を持つホテルＣＡＴＶ端末機２０がアドレスに応答信号を付加し管理コンピュータ１０に送信する。管理コンピュータ１０は他のホテルＣＡＴＶ端末機２０に対し同応答のアンサーバックで待ち状態を指示し、先に応答を返したホテルＣＡＴＶ端末機２０のリクエスト処理を短時間（実時間として１秒以内）に行う通信機能を始め、ホテルＣＡＴＶヘッドエンド装置１１から一般放送、有料映画、ゲーム等の映像及び音声のテレビ信号を送出し、幹線同軸ラインＣ１を通じ客室端末装置２へ送る。ホテルＣＡＴＶ端末機２０でワイヤレスリモコン２１操作により選局し、テレビジョン受像機２３で映像・音声を再生し、視聴できる双方向ホテルＣＡＴＶ装置である。
次に本発明の要部となる図１の客室端末装置２のインターネット送信器２４及びセンター装置３について説明する。
客室端末装置２のインターネット操作送信器２４は３０ＭＨ〜５０ＭＨｚの可変発振機能を持ち、最大３２波の任意の搬送波（以下インターネット操作チャンネルという）を発生できる（最大３２の客室が同時に利用可能）。ワイヤレスリモコン２１は従来の一般放送、有料放送、ゲーム操作等に使うキーにインターネット操作に必要なキーを設けたワイヤレスリモコンである。インターネット送信器２４はワイヤレスリモコン２１が発したインターネットの操作信号をホテルＣＡＴＶ端末機２０を経由し入力されるキー情報配列のシリアルデータを変調し、センターへ送信する機能を有する。
一方センター側のセンター装置３は複数の客室端末のインターネット送信器２４からの操作信号を受信しインターネットにアクセスする機能である。そのうち３０は複数の客室からの異なる搬送波を分別して所定のインターネット受信器に接続する分配器である。３１はインターネット送信器２４が送信したインターネット操作チャンネルと同調し、復調したシリアルデータをインターネットコンピュータ３３が判読可能な信号形態に変換を行い出力する機能を有するインターネット受信器である。３３はインターネットコンピュータで、プロバイダの自動回線接続を始めＷＷＷサーバーとのアクセスを行う。３４はインターネット画像及び音声をテレビ信号に変換する変調器である。インターネット受信器３１、インターネットコンピュータ３３、変調器３４の設置台数はホテル客室数及び稼動率等により決められる。３６は１０ＢＡＳＥ−Ｔで使われるマルチボード・リピータのハブで、ネットワークケーブル３７でインターネットコンピュータ３３と接続している。３９はＮＴＴが提供するインターネット接続サービスのＯＣＮ回線で、３８はハブ３６よりＯＣＮ回線３９と接続する為に必要なルータである。
さらにホテルＣＡＴＶ端末機２０及びワイヤレスリモコン２１、インターネット送信器２４及びインターネット受信器３１の詳細を明らかにする為、図２及び図３、図４にこれらのブロック図を示す。
図２はホテルＣＡＴＶ端末機２０のブロック図で、２０１は双方向通信データ及びテレビ信号入力端子で、２０２は電子チューナであって、双方向ＣＡＴＶセンター装置１より送出するホテルＣＡＴＶヘッドエンド装置１１及びインターネット画像のテレビ信号の選局を行い、復調でＡＶ（映像、音声）信号を取り出す。２０３はオンスクリーン回路であって、電子チューナ２０２よりの映像にチャンネル表示、文字表示等の合成又は、テロップ表示を行う。２０４はオンスクリーン処理した映像信号及び音声信号を再度テレビ（１ＣＨ又は２ＣＨ）信号に変換するＲＦモジュレータであって、出力端子２０５より出力する。２０６は管理コンピュータ１と双方向通信を行う手段のＦＳＫモデム（下りデータ信号７５ＭＨｚ、上りデータ信号４５ＭＨｚ）で、２０７は客室端末装置２の全体を制御するＣＰＵ、２０８はオンスクリーン処理をおこなった映像信号及び音声信号をテレビジョン受像機２３で適切なレベルにする為のＡＶアンプ回路であって、映像は出力端子２０９より、音声信号のＬ、Ｒは出力端子２１０，２１２より出力する。２１３はリモコン受光センサーであって、ワイヤレスリモコン２１の操作スイッチ情報を受光する。２１４は本体での操作スイッチ及びＬＥＤ表示である。ホテルＣＡＴＶ端末機２１のインターネットのブラウザ操作に必要なキー（上下・左右矢印、確定、取消、前へ戻る）は操作レスポンスを早める為ＣＰＵ２０７で２バイトの前記キー配列のシリアルデータに変換し、Ｉ／Ｆ２１５を通じ端子２１６よりインターネット送信器２４へ渡される。２１７はＴＶ受像機２３に商用電源であるＡＣ１００Ｖをオン・オフする為のリレー回路であって、レセプタクル２１８より供給する。２１９はプログラム及びオンスクリーン２０３で作るテロップ表示等のデータを格納したＲＯＭであって、２２０は一時記憶のＲＡＭで、２２９はＥＥＰＲＯＭで電気的にリード・ライトが可能でアドレス等のデータはここに記憶される。２２２は電源器であって、客室端末装置２の各部にＤＣ電源の供給を行う。（本ブロック図はインターネット利用に係わる部分以外は削除している）
次に図３の説明を行う。
図３中の２４は、インターネット送信器であって、ホテルＣＡＴＶ端末機２０より送られてくる周波数データよりインターネット操作チャンネル（最大３２チャンネルの任意の一波）を作成し、インターネットのブラウダのリモコン操作によるシリアルデータで変調を行い、共聴路へ送出する機能を有する。又、チャンネルの周波数データは管理コンピュータ１０が管理し、幹線同軸ラインＣ１よりホテルＣＡＴＶ端末機２０にインターネットリクエスト時の空き操作チャンネルの周波数データが割り振られる。
図３中の２４０はホテルＣＡＴＶ端末機２０からのシリアルデータ入力端子で、２４１は制御回路であって、シリアルデータ入力端子２４０から入力されるシリアルデータより周波数データ及びインターネットのリモコン操作データかを判別し発振及び変調回路２４２に渡す。２４２は発振及び変調回路で周波数データよりインターネット操作チャンネルを作成し、インターネットのブラウダのリモコン操作によるシリアルデータで変調を行い、ＲＦ  ＡＭＰ回路２４３で所定のレベルに増幅し端子２４４より出力する。
次に図４の説明を行う。
図４中の３１はインターネット受信器であって、複数の客室のインターネット送信器２４が発したインターネット操作チャンネルと同調し、復調を行いインターネットコンピュータ３２が判読可能な信号変換を行う。又管理コンピュータ１０とのＲＳ４８５での通信機能を有する。３１０はインターネット操作チャンネルの入力端子で、３１１は５０ＭＨｚ以下を通過させるＬ．Ｐ．Ｆ（ローパスフィルター）である。３１２は同調及び復調回路であって、複数のインターネット操作チャンネルの内から所定の一波に同調し、復調を行いＴＴＬレベルのシリアルデータに復元を行う。３１３は信号変換回路であって、出力端子３１４から接続されるインターネットコンピュータ３２が判読可能な信号形態に変換を行う。３１５は発振回路であって、同調及び復調回路３１２で同調を行うインターネットチャンネルのローカル周波数の発振を行う。３１６はＣＰＵであって、端子３１７より管理コンピュータ１０と接続し、管理コンピュータ１０が管理するインターネット受信器３１の同調するインターネット操作チャンネル、客室端末装置からのインターネット開始要求、終了要求の信号等を又インターネット受信器３１からは稼動情報等の通信（ＲＳ−４８５）を行う機能と発振回路３１５及びＲＳ−４８５で通信を行う為の認識アドレス３１９の入力制御を行う。３１８はＲＯＭであって、ＣＰＵ３１６の動作を行うプログラムを記憶させた物である。３２０はインターネットコンピュータ３３のインターネットコンピュータの商用電源ＡＣ１００Ｖのオン・オフでインターネットの開始及び終了動作をさせるリレー回路であって、レセプタクル３２１にＡＣ１００Ｖを供給する。３２２はインターネット受信器３１を動作させるＤＣ電源である。
以下図１及び図２、図３、図４及び図５を参考に動作について説明する。
管理コンピュータ１０は常にインターネット受信器３１を通じインターネットコンピュータ３３の稼動状況を管理し、ホテルＣＡＴＶ端末機２０に通知している。宿泊客等が客室でインターネットを利用する場合ワイヤレスリモコン２１を用い、パワーキーを操作するとホテルＣＡＴＶ端末機２０のリレー回路２１７がオンし、テレビジョン受像機２３にＡＣ１００Ｖを供給し、ＡＶケーブル２２を通じインターネット、ゲーム、ＶＯＤ（ビデオ・オン・デマンド）、カラオケ等の選択メニュー画面が表示され上下矢印キーでインターネットを選択し決定するとインターネットの開始信号はリモコン受光センサー２１３で受光しＣＰＵ２０７で処理され、ＦＳＫモデム２０６で変調され上り帯域の高周波信号で端子２０１からＣ３、Ｃ２、Ｃ１、Ｂ３、Ｂ１の伝送路を経由し、管理コンピュータ１０に通知される。管理コンピュータ１０はＲＳ−４８５線３２の通信ラインで複数のインターネット受信器３１と端子３１７で接続し、同開始信号をＣＰＵ３１６に通知する。よってリレー回路３２０がオンされ、端子３２１に接続したインターネットコンピュータ３３の電源がオンし、インターネットコンピュータ３３にあらかじめ登録しておいたＮＴＴのインターネットにハブ３６と接続したネットワークケーブル３７を通じルータ３８のＯＣＮ回線３９と、ＮＴＴインターネットとの接続を自動で行う。又インターネットコンピュータ３３はあらかじめ設定したホームページの画面で立ち上がり画像及び音声信号を出力する。この信号は変調器３４に接続され９０〜７７０ＭＨzの高周波のテレビ信号に変調され複数のテレビ信号と混合器３５で混合され、（下り帯域のテレビ信号ライン）の同軸ラインＡとデータ同軸ラインＢ２を混合・分波器Ｄ２で混合・分波し、幹線同軸ラインＣ１へ送出する。一方管理コンピュータ１０は、ホテルＣＡＴＶ端末機２０との双方向通信同軸ラインＢ１とインターネットデータチャンネル同軸ラインＢ２とを混合・分波器Ｄ１で混合・分波を行いＢ３、Ｄ２、Ｃ１、Ｄ３の直列ユニット、同軸ケーブルＣ２、混合・分波器Ｄ４、同軸ケーブルＣ３を通じホテルＣＡＴＶ端末機２０にインターネット操作チャンネルの周波数データを通知し、インターネット送信器２４に渡す。又ホテルＣＡＴＶ端末機２０は変調器３４から送出したインターネットのテレビ信号をチューナ２０２で選局し、映像出力２０９、音声出力端子２１０，２１２よりＴＶ受像機２３に出力しホームページの画面が提供される。ここから宿泊客はインターネットのブラウザ機能を使いさまざまなＷＷＷサーバにアクセスできる。操作は上下・左右の矢印キー、確定、取消、前へ戻るキーで行うワイヤレスリモコン２１で操作した前記キー信号はホテルＣＡＴＶ端末機２０のリモコン受光センサー２１３で受光し、ＣＰＵ２０７でリモコン信号から２バイトの前記キー配列のシリアルデータに変換され、前記のインターネット操作チャンネルの周波数データとをＩ／Ｆ２１５を介し端子２１６よりインターネット送信器２４のシリアルデータ入力端子２４０、制御回路２４１を介し発振及び変調回路２４２で前記キー配列のシリアルデータで変調したインターネット操作チャンネルを作成し出力端子２４４より同軸ケーブルＢ��、混合・分波器Ｄ４、Ｃ２、Ｄ３、Ｃ１、Ｄ２、Ｂ３、Ｄ１、Ｂ２、の伝送経路を通じセンター装置３の分配器３０（複数の客室からのインターネット操作チャンネルが有る）で必要数に応じて分配し、インターネット受信器３１の入力端子３１０、Ｌ．Ｐ．Ｆ３１１を介し同調及び復調回路３１２でＴＴＬレベルのシリアルデータに復元し、信号変換回路３１３でインターネットコンピュータ３３が判読可能な信号に変換を行い端子３１４より出力することでインターネットコンピュータ３３よりネットワークケーブル３７、ハブ３６、ルータ３８、ＯＣＮ回線３９のＮＴＴインターネットに操作都度アクセスを可能としている。インターネットを終了する場合は前記インターネット開始の動作ルートと同様でインターネット受信器３１のリレー３２０をオフし、電源３２２を切ることとなる。インターネットの開始及び終了は双方向データ通信機能のリクエストポーリングで処理を行い、実際のブラウザ操作は実時間処理が瞬時のインターネット送信器２４及びインターネット受信器３０経由で処理を行うことで、客室からのインターネット利用を可能とした。（本実施例ではインターネット操作チャンネルの最大数を３２としたがこの限りではない）
図４にインターネット通信の手順を示している。
【０００８】
【発明の効果】
以上説明したとおり、本発明の双方向ＣＡＴＶ装置では、インターネットコンピュータを客室数の稼動状況に見合った台数をセンター装置として設備し、各客室より操作可能にしたもので、導入に際するコストメリットは非常に大きく又、宿泊客等は自分の部屋等の遠隔の端末側から気軽に又、簡単に操作でき時間にとらわれずアメニティをすごせる。
【図面の簡単な説明】
【図１】実施例の構成図である。
【図２】実施例のホテルＣＡＴＶ端末機のブロック図である。
【図３】実施例のインターネット送信器を示すブロック図である。
【図４】実施例のインターネット受信器のブロック図である。
【図５】実施例のチャンネルアロケーションを示す説明図である。
【図６】インターネット操作チャンネルアロケーションの詳細を示す説明図である。
【図７】双方向通信のリクエストボーリングを示す説明図である。
【図８】本実施例のインターネット操作のフローチャート図である。
【符号の説明】
１  双方向ＣＡＴＶセンター装置
２  客室端末装置
３  センター装置
１０  管理コンピュータ
１１  ホテルＣＡＴＶヘッドエンド装置
２０  ホテルＣＡＴＶ端末機
２１  ワイヤレスリモコン
２３  ＴＶ受信機
２４  インターネット送信器
３０  分配器
３１  インターネット受信器
３２  ＲＳ４８５
３３  インターネットコンピュータ
３４  変調器
３５  混合器
３６  ハブ
３７  ネットワークケーブル
３８  ルータ
３９  ＯＣＮ回線
Ｂ１，Ｂ２，Ｂ３，Ｂ４，Ｃ１，Ｃ２，Ｃ３  同軸ケーブル
Ｄ１，Ｄ２，Ｄ３，Ｄ４，Ｄ５  混合・分波器
【図１】
0004155620.tif 000002
【図２】
0004155620.tif 000003
【図３】
0004155620.tif 000004
【図４】
0004155620.tif 000005
【図５】
0004155620.tif 000006
【図６】
0004155620.tif 000007
【図７】
0004155620.tif 000008
【図８】
0004155620.tif 000009